(57)【要約】【課題】  物品保管設備の現地据付性を向上し、可搬性も具備せしめること。【解決手段】  床板１１の少なくとも１つの側縁部に柱１２を立設し、柱１２の上端側に片持ち支持される屋根パネル１３により床板１１を覆い、床板１１の上面を物品保管領域Ａとする物品保管設備１０であって、床板１１が地面に離着自在に載置可能にされてなるもの。【選択図】  図２
2013072254.tif 000002
【特許請求の範囲】
【請求項１】
床板の少なくとも１つの側縁部に柱を立設し、
柱の上端側に片持ち支持される屋根パネルにより床板を覆い、
床板の上面を物品保管領域とする物品保管設備であって、
床板が地面に離着自在に載置可能にされてなる物品保管設備。
【請求項２】
前記床板が柱支持部を備え、柱の下端部が床板の柱支持部に着脱自在に結合されて支持される請求項１に記載の物品保管設備。
【請求項３】
前記柱が屋根支持部を備え、屋根パネルの一端部が柱の屋根支持部に着脱自在に結合されて支持される請求項１又は２に記載の物品保管設備。
【請求項４】
前記柱の屋根支持部が該柱の高さ方向の複数位置に設けられ、屋根パネルの高さを調整可能にされてなる請求項３に記載の物品保管設備。
【請求項５】
前記屋根パネルの一端部が柱の屋根支持部に揺動可能に支持され、該屋根パネルの水平に対する傾きを調整可能にされてなる請求項３又は４に記載の物品保管設備。
【請求項６】
請求項４又は５に記載の物品保管設備であって、
消火システムを備え、物品保管領域に臨む消火液噴出ノズルが屋根パネルに取付けてなる物品保管設備。
【請求項７】
請求項１〜６のいずれかに記載の物品保管設備であって、
太陽光発電・蓄電システムを備えてなる物品保管設備。
【発明の詳細な説明】
【技術分野】
【０００１】
本発明は、古紙回収ボックス、車両等の物品を保管するための物品保管設備に関する。
【背景技術】
【０００２】
従来の物品保管設備は、特許文献１に記載のカーポートにみられるように、地面に設けたコンクリート基礎に柱を立設し、柱の上端部に屋根パネルを片持ち支持し、屋根パネルの下を物品保管領域としている。
【先行技術文献】
【特許文献】
【０００３】
【特許文献１】特開2007-224673
【発明の概要】
【発明が解決しようとする課題】
【０００４】
特許文献１に記載の物品保管設備には以下の問題点がある。
(1)物品保管設備の地面に対する構築が地面に設けたコンクリート基礎に柱を立設してなされるものであり、基礎工事や基礎に対する柱の立設工事に困難がある。
【０００５】
物品保管設備はコンクリート基礎と一体化され、可搬性がないから、一旦設置完了した後で向きを変えたり、ずらしたりする位置調整ができない。
【０００６】
(2)物品保管設備のコンクリート基礎以外の部分を工場で組立て、これを現地に輸送することは、トラック等の輸送制限により困難がある。
【０００７】
一方、物品保管設備の資材を現地に輸送して組立てる場合には、基礎工事だけでなく、多数の部品の溶接等による組立に困難がある。
【０００８】
(3)物品保管設備は屋根パネルの高さが固定化されている。従って、物品保管領域に保管される物品の寸法の変化に対応し、屋根パネルの高さを変更する等に困難がある。
【０００９】
(4)消火システムによる消火性能の向上に困難がある。
【００１０】
(5)照明装置、警報装置のための電源確保に困難がある。
【００１１】
本発明の課題は、物品保管設備の現地据付性を向上し、可搬性も具備せしめることにある。
【００１２】
本発明の他の課題は、物品保管設備の輸送性、組立性を向上することにある。
本発明の他の課題は、物品保管設備の屋根パネルの高さ、傾きを調整可能にすることにある。
本発明の他の課題は、物品保管設備の消火性能を向上することにある。
本発明の他の課題は、物品保管設備の電源を容易に確保することにある。
【課題を解決するための手段】
【００１３】
請求項１に係る発明は、床板の少なくとも１つの側縁部に柱を立設し、柱の上端側に片持ち支持される屋根パネルにより床板を覆い、床板の上面を物品保管領域とする物品保管設備であって、床板が地面に離着自在に載置可能にされてなるようにしたものである。
【００１４】
請求項２に係る発明は、請求項１に係る発明において更に、前記床板が柱支持部を備え、柱の下端部が床板の柱支持部に着脱自在に結合されて支持されるようにしたものである。
【００１５】
請求項３に係る発明は、請求項１又は２に係る発明において更に、前記柱が屋根支持部を備え、屋根パネルの一端部が柱の屋根支持部に着脱自在に結合されて支持されるようにしたものである。
【００１６】
請求項４に係る発明は、請求項３に係る発明において更に、前記柱の屋根支持部が該柱の高さ方向の複数位置に設けられ、屋根パネルの高さを調整可能にされてなるようにしたものである。
【００１７】
請求項５に係る発明は、請求項３又は４に係る発明において更に、前記屋根パネルの一端部が柱の屋根支持部に揺動可能に支持され、該屋根パネルの水平に対する傾きを調整可能にされてなるようにしたものである。
【００１８】
請求項６に係る発明は、請求項４又は５に記載の物品保管設備であって、消火システムを備え、物品保管領域に臨む消火液噴出ノズルが屋根パネルに取付けてなるようにしたものである。
【００１９】
請求項７に係る発明は、請求項１〜６のいずれかに記載の物品保管設備であって、太陽光発電・蓄電システムを備えてなるようにしたものである。
【発明の効果】
【００２０】
（請求項１）
(a)物品保管設備の地面に対する構築は、床板を地面に載置させることによりなされる。基礎工事等を必要とせず、現地据付性を向上できる。
【００２１】
物品保管設備は、床板を地面に離着自在としており、床板を地面から離すことは容易で、可搬性を具備するものになる。物品保管設備を一旦設置完了した後でも、その向きを変更したり、ずらしたりする位置調整を容易に行なえる。
【００２２】
床板が一枚の連続する鋼板等からなるとき、床板の上に載置される物品、例えば古紙回収ボックスの下面に備える車輪の転動性等が良い。
【００２３】
（請求項２、３）
(b)物品保管設備は、柱を床板の柱支持部に着脱自在にし、又は屋根パネルを柱の屋根支持部に着脱自在にする。これにより、床板、柱、屋根パネルの各個を互いに分離した状態で工場から現地に輸送し、これらを着脱自在な結合手段により組立てることにより、物品保管設備を構築できる。物品保管設備の輸送性、組立性を向上できる。
【００２４】
（請求項４）
(c)物品保管設備は、柱の屋根支持部が該柱の高さ方向の複数位置に設けられる。従って、屋根パネルを柱の高さ方向の複数位置に設けられる屋根支持部のいずれかに支持することにより、屋根パネルの高さを調整できる。物品保管領域に保管される物品の寸法等に応じて、屋根パネルの高さを容易に調整できる。
【００２５】
（請求項５）
(d)物品保管設備は、屋根パネルの一端部が柱の屋根支持部に揺動可能に支持され、該屋根パネルの水平に対する傾きを調整可能にされる。従って、物品保管領域に保管される物品の寸法等に応じて、屋根パネルの水平に対する傾きを容易に調整できる。
【００２６】
（請求項６）
(e)消火システムの消火液噴出ノズルを屋根パネルに取付けるとき、屋根パネルの上述(c)に高さ調整、上述(d)の傾き調整により、消火液噴出ノズルが物品保管領域に対する消火液噴出方向を最適化でき、物品保管設備の消火性能を向上できる。
【００２７】
（請求項７）
(f)物品保管設備が太陽光発電・蓄電システムを備えることにより、照明装置、警報装置のための電源を容易に確保できる。
【図面の簡単な説明】
【００２８】
【図１】図１は物品保管設備を示す正面図である。
【図２】図２は図１の側面図である。
【図３】図３は図１の平面図である。
【図４】図４は屋根パネルの高さ傾き調整状態を示す側面図である。
【図５】図５は床板の柱支持部を示し、（Ａ）は側面図、（Ｂ）は端面図である。
【発明を実施するための形態】
【００２９】
図１〜図３に示す物品保管設備１０は、保管対象物品を古紙回収ボックス１としたものである。
【００３０】
物品保管設備１０は、厚板鋼板（例えば19mm板厚）からなる四辺形状の床板１１を有し、床板１１の少なくとも１つの側縁部、本実施例では奥側一辺の側縁部上の２位置にＨ形鋼等からなる柱１２が立設される。そして、柱１２の正面側の上端側に屋根パネル１３を片持ち支持し、屋根パネル１３により床板１１を覆い、屋根パネル１３により覆われる床板１１の上面を物品保管領域Ａとする。床板１１は平らにならされた地面に離着自在に載置可能にされるものであり、床板１１を地面に固定することを必須としない。
【００３１】
屋根パネル１３は、図１〜図３に示す如く、Ｃ形鋼等からなる屋根梁１４を枠組した屋根フレーム１５の上面に、カラーガルバリウム鋼板等からなる屋根面材１６を設けて構成される。
【００３２】
古紙回収ボックス１は箱体２の下面に車輪３を備えるとともに、箱体２の上面の開口部に開閉蓋２Ａを備える。古紙回収ボックス１はトラック等で物品保管設備１０に搬出入される。物品保管設備１０に搬入された古紙回収ボックス１は車輪３を床板１１の上面に載せ置かれ、床板１１の上面の物品保管領域Ａで自由に移動かつ停留可能とされる。古紙回収ボックス１はこの停留状態で開閉蓋２Ａを開かれ、箱体２に投入される古紙等を受け入れ可能にする。一定量の古紙で満たされた古紙回収ボックス１は、床板１１の上面から搬出される。
【００３３】
物品保管設備１０において、床板１１は柱支持部２０を備える。柱１２の下端部が床板１１の柱支持部２０に着脱自在に結合される。本実施例の柱支持部２０は、図５に示す如く、柱１２がＨ形鋼からなるものであることを前提にしており、２個の平板２１、２１と、１個のＵ形鋼２２とを床板１１の上面に溶接して一定の支持高さ分だけ立設されることにて構成される。２個の平板２１、２１のそれぞれは床板１１上で、柱１２のフランジの外側面に添設することとなる位置に溶接される。１個のＵ形鋼２２は床板１１上で、柱１２のウエブの片側面と両フランジの内側面のそれぞれに添設することとなる位置に溶接される。これにより、Ｈ形鋼からなる柱１２は、両フランジの各一端部のそれぞれを平板２１とＵ形鋼２２の間隙に差し込み（抜去可能）、両フランジの各他端部のそれぞれを平板２１に添わせ、ウエブの片側面をＵ形鋼２２に添わせる状態で、柱１２の下端面を床板１１の上面に突き当てる。そして、柱１２の両側フランジとウエブのそれぞれを、平板２１とＵ形鋼２２のそれぞれに対し、図５に示す各取付位置でボルト２３及びナット２４を用いて締結する。これにより、柱１２の下端部を床板１１の柱支持部２０に着脱自在に締結するものになる。
【００３４】
物品保管設備１０において、柱１２の正面側に屋根支持部３０を備える。屋根支持部３０は、後述する如く、柱１２の正面側と背面側の両面に備えても良い。屋根パネル１３の屋根梁１４の一端部が柱１２の屋根支持部３０に着脱自在に結合される。屋根支持部３０は柱１２のＨ形鋼の正面に設けた取付孔にボルト止めされる取付ブラケット３１からなる。屋根パネル１３の屋根梁１４の一端部が取付ブラケット３１に着脱自在に結合される。
【００３５】
本実施例では、屋根梁１４の一端部が取付ブラケット３１に着脱自在にピン結合されるとともに、屋根梁１４の他端部と柱１２との間に連結バー３２が架け渡され、柱１２と屋根梁１４と連結バー３２を三辺とする三角形を固定化することにより、屋根パネル１３の高さ、傾きを固定化する。連結バー３２の一端部が柱１２のＨ形鋼の正面に設けた取付孔にボルト止めされる取付ブラケット３２Ａにピン結合されるとともに、連結バー３２の他端部が屋根梁１４の他端部に溶接されている取付ブラケット３２Ｂにピン結合される。
【００３６】
物品保管設備１０において、屋根支持部３０は柱１２の高さ方向の複数位置に設けられる。本実施例では、屋根パネル１３の屋根梁１４の一端部がピン結合される取付ブラケット３１が柱１２のＨ形鋼の高さ方向の複数位置に設けた取付孔（図２、図４の柱１２に付した横線で表示）から選定される任意位置の取付孔にボルト止めされる。そして、屋根梁１４の他端部に取付ブラケット３２Ｂを介してピン結合される連結バー３２の一端部がピン結合される取付ブラケット３２Ａも、柱１２のＨ形鋼の高さ方向の複数位置に設けた取付孔（図２、図４の柱１２に付した横線で表示）から選定される任意位置の取付孔にボルト止めされる。これにより、物品保管設備１０では、屋根パネル１３の高さが調整可能にされる。
【００３７】
物品保管設備１０において、屋根パネル１３の屋根梁１４の一端部は柱１２の屋根支持部３０の取付ブラケット３１に上述の如くにピン結合され、換言すれば揺動可能に支持される。これにより、物品保管設備１０では、屋根パネル１３の水平に対する傾きが調整可能にされる。即ち、屋根パネル１３は、図４に示す例えば３つの傾き位置に設定替えされ、それらの屋根パネル１３の傾きを固定化する連結バー３２の取付位置も図４に示す如くに設定替えされる。このとき、連結バー３２は、図４に示した取付位置の設定替えに応じて、柱１２の取付ブラケット３２Ａと屋根梁１４の取付ブラケット３２Ｂとの長さ変化に対応して全長の異なる連結バー３２を交換使用する。又は、連結バー３２の他端部に対する取付ブラケット３２Ｂのピン結合位置を変更して使用する場合には、同一の連結バー３２を使用することができる。
【００３８】
物品保管設備１０は、相並ぶ柱１２、１２の中間部に架け渡した横桟１７に、自動消火システム４０の消火液容器４１等を固定して備える。そして、消火液容器４１にステンレスパイプ等を介して接続されている１個又は複数個の消火液噴出ノズル４２が屋根パネル１３に取付けられている。消火液噴出ノズル４２は、前述の高さ、傾きを調整可能にされている屋根パネル１３の屋根梁１４に吊下げ支持され、床板１１の上面の物品保管領域Ａに配置されている古紙回収ボックス１に対して好適となる消火液噴出方向に設定される。消火液噴出ノズル４２はフレキシブルチューブ、フレキシブルリンク等の、外力により屈曲自在かつ外力の解放により固定化される支持具４２Ａにより屋根梁１４から吊下げられ、古紙回収ボックス１に対して好適となる消火液噴出方向に設定される。
【００３９】
物品保管設備１０は、相並ぶ柱１２、１２の上端部に架け渡した横桟１８に、太陽光発電・蓄電システム５０を固定して備える。太陽光発電・蓄電システム５０は、ソーラーパネル５１と蓄電システム５２とからなる。太陽光発電・蓄電システム５０は、ＬＥＤ蛍光灯等の照明装置５３、警報サイレン等の警報装置に給電するための電源になる。
【００４０】
本実施例によれば以下の作用効果を奏する。
(a)物品保管設備１０の地面に対する構築は、床板１１を地面に載置させることによりなされる。基礎工事等を必要とせず、現地据付性を向上できる。
【００４１】
物品保管設備１０は、床板１１を地面に離着自在としており、床板１１を地面から離すことは容易で、可搬性を具備するものになる。物品保管設備１０を一旦設置完了した後でも、その向きを変更したり、ずらしたりする位置調整を容易に行なえる。
【００４２】
床板１１が一枚の連続する鋼板等からなるとき、床板１１の上に載置される物品、例えば古紙回収ボックス１の下面に備える車輪３の転動性等が良い。
【００４３】
(b)物品保管設備１０は、柱１２を床板１１の柱支持部２０に着脱自在にし、又は屋根パネル１３を柱１２の屋根支持部３０に着脱自在にする。これにより、床板１１、柱１２、屋根パネル１３の各個を互いに分離した状態で工場から現地に輸送し、これらを着脱自在な結合手段により組立てることにより、物品保管設備１０を構築できる。物品保管設備１０の輸送性、組立性を向上できる。
【００４４】
(c)物品保管設備１０は、柱１２の屋根支持部３０が該柱１２の高さ方向の複数位置に設けられる。従って、屋根パネル１３を柱１２の高さ方向の複数位置に設けられる屋根支持部３０のいずれかに支持することにより、屋根パネル１３の高さを調整できる。物品保管領域Ａに保管される古紙回収ボックス１の寸法等に応じて、屋根パネル１３の高さを容易に調整できる。
【００４５】
(d)物品保管設備１０は、屋根パネル１３の一端部が柱１２の屋根支持部３０に揺動可能に支持され、該屋根パネル１３の水平に対する傾きを調整可能にされる。従って、物品保管領域Ａに保管される古紙回収ボックス１の寸法等に応じて、屋根パネル１３の水平に対する傾きを容易に調整できる。
【００４６】
(e)消火システム４０の消火液噴出ノズル４２を屋根パネル１３に取付けるとき、屋根パネル１３の上述(c)に高さ調整、上述(d)の傾き調整により、消火液噴出ノズル４２が物品保管領域Ａに対する消火液噴出方向を最適化でき、物品保管設備１０の消火性能を向上できる。
【００４７】
(f)物品保管設備１０が太陽光発電・蓄電システム５０を備えることにより、照明装置５３、警報装置のための電源を容易に確保できる。
【００４８】
以上、本発明の実施例を図面により詳述したが、本発明の具体的な構成はこの実施例に限られるものではなく、本発明の要旨を逸脱しない範囲の設計の変更等があっても本発明に含まれる。例えば、本実施例では、床板１１の奥側の１つの側縁部にだけ柱１２を立設したから、床板１１の前面及び両側面の３面を外界に対して開放し、床板１１の物品保管領域Ａに対する物品、例えば古紙回収ボックス１の搬出入方向、古紙回収ボックス１に対する古紙の投入方向を広範に設定できる。但し、柱１２は床板１１の少なくとも１つの側縁部に立設するものであれば良く、２つの側縁部又は３つの側縁部に立設するものでも良い。
【００４９】
また、本発明の物品保管設備１０にあっては、床板１１の正面側に２個以上の物品保管領域Ａを並置しても良い。
【００５０】
また、本発明の物品保管設備１０にあっては、床板１１の正面側と背面側の両方に物品保管領域Ａを設置しても良い。このとき、屋根支持部３０は柱１２の正面側と背面側の両方に設けられ、柱１２のＨ形鋼の正面と背面の高さ方向の複数位置に屋根支持部３０の取付ブラケット３１と連結バー３２の取付ブラケット３２Ａの取付孔を設けるものになる。
【産業上の利用可能性】
【００５１】
本発明によれば、床板の少なくとも１つの側縁部に柱を立設し、柱の上端側に片持ち支持される屋根パネルにより床板を覆い、床板の上面を物品保管領域とする物品保管設備であって、床板が地面に離着自在に載置可能にされる。これにより、物品保管設備の現地据付性を向上し、可搬性も具備せしめるものになる。
【符号の説明】
【００５２】
１  古紙回収ボックス（物品）
１０  物品保管設備
１１  床板
１２  柱
１３  屋根パネル
２０  柱支持部
３０  屋根支持部
４０  消火システム
４２  消火液噴出ノズル
５０  太陽光発電・蓄電システム
Ａ  物品保管領域
【図１】
2013072254.tif 000003
【図２】
2013072254.tif 000004
【図３】
2013072254.tif 000005
【図４】
2013072254.tif 000006
【図５】
2013072254.tif 000007